(57)【要約】【課題】広告媒体として広告効果が高く、しかも自動車の車室内等で便利に使用できる折り畳み式のゴミ箱を提供する。【解決手段】上面が開口し、かつ組み立て及び折り畳みが自在な箱本体１と、開口部３ａが箱本体１の開口を覆うように箱本体１内に装着自在なゴミ袋３と、箱本体１の内外側面の少なくとも一方の側面に設けられ、かつ予備のゴミ袋３を収納する収納ポケット４とから構成したもので、コンパクトに組み立てることができるため、自動車の車室内等でも便利に使用できる上、収納ポケット４に予め収納された予備のゴミ袋３を取り出して箱本体１内へ装着することによりゴミ箱が再使用できるため、経済的である。また箱本体１及び蓋体２の少なくとも一方の外表面に広告を表示することにより、ゴミ箱を使用する毎に外表面に表示された広告を利用者が見ることになるため広告効果も高い。【選択図】図１
0003129690.tif 000002
【実用新案登録請求の範囲】
【請求項１】
上面が開口し、かつ組み立て及び折り畳みが自在な箱本体と、開口部が前記箱本体の開口を覆うように前記箱本体内に装着自在なゴミ袋と、前記箱本体の内外側面の少なくとも一方の側面に設けられ、かつ予備のゴミ袋を収納する収納ポケットとを具備したことを特徴とするゴミ箱。
【請求項２】
前記箱本体の開口に、ゴミ投入口を有する蓋体を着脱自在に取り付けてなる請求項１に記載のゴミ箱。
【請求項３】
前記ゴミ袋の前記開口部近傍に把手を設け、また前記箱本体の側面に、前記把手を引っ掛ける係止片を設けてなる請求項１または２に記載のゴミ箱。
【請求項４】
前記箱本体及び前記蓋体の少なくとも一方の外表面に広告を表示してなる請求項１ないし３の何れかに記載のゴミ箱。
【考案の詳細な説明】
【技術分野】
【０００１】
本考案は、自動車の車室内等で使用するのに好適な折り畳み式のゴミ箱に関する。
【背景技術】
【０００２】
日常生活で発生するゴミの多くは、一旦ゴミ箱に捨てた後、ゴミ箱が一杯になった際に廃棄処分をしており、ゴミ箱はゴミを一時溜めておくのに大変便利である。
またゴミ箱は従来から多くの種類のものが考案され、実用化もされており、その中には例えば特許文献１に記載されたゴミ箱が公知である。
前記特許文献１に記載のゴミ箱は、ゴミ箱の底部にゴミ袋連続体が設けられていて、このゴミ袋連続体より引き出したゴミ袋をゴミ箱の内側に取り付け、ゴミ袋がゴミで一杯になったらゴミ袋をゴミ箱から取り出すと、次のゴミ袋がゴミ袋連続体より引き出される構造になっている。
これによってゴミ袋ごとゴミ箱よりゴミを取り出すと、次のゴミ袋をゴミ箱の内側へ取り付けることができるため、ゴミ箱に対してゴミ袋の取り付けが容易な上、ゴミの処理が効率的に行える等の効果を有している。
【特許文献１】特開２００３−２８５９０１号公報
【考案の開示】
【考案が解決しようとする課題】
【０００３】
前記特許文献１に記載のゴミ箱は、ゴミ箱の底部に設けられたゴミ袋連続体より連続的にゴミ袋を引き出して使用できるため、予備のゴミ袋を予め用意する必要がない等の利便性はある反面、次のような問題もある。
すなわち家庭等で使用するゴミ箱の多くは、部屋の邪魔にならない場所に置いて使用することことから、前記特許文献１に記載のゴミ箱のようにゴ全体が一体構造のものであっても特に問題はないが、例えば自動車の車室内等で使用するゴミ箱の場合、車室内で邪魔にならないようにゴミ箱の大きさをある程度小さくする必要がある。
しかしゴミ箱を小さくすると収容できるゴミの量も少なくなることから、ゴミ箱が一杯になる度にゴミを廃棄しなければならず、ゴミを廃棄する頻度が高くなるため作業が面倒である。
また前記特許文献１に記載のゴミ箱のようにゴミ袋連続体を予め製作する必要があるものでは、ゴミ袋の経費が嵩む問題がある。
【０００４】
一方ゴミ箱の表面に企業の広告を印刷して、ゴミ袋を広告媒体として使用しようとする場合、次のような条件が必要となる。
すなわち企業の広告効果を上げるためには、広告媒体を多量に配布する必要があるため、１個当りの単価が安価であること。
また多量の広告媒体を輸送したり配布する際に嵩ばるとそれだけ経費が嵩むため、なるべく嵩ばらないこと。
さらに広告効果を上げるために、絶えず人目に触れること等が重要である。
しかし前記特許文献１に記載のゴミ箱では、これらの条件を何れも満たしていないため、例えば広告媒体として使用するゴミ箱や、自動車の車室内等で使用するゴミ箱としては不向きである。
本考案はかかる事情に鑑みなされたもので、広告媒体として広告効果が高く、しかも自動車の車室内等で便利に使用できる折り畳み式のゴミ箱を提供することを目的とするものである。
【課題を解決するための手段】
【０００５】
本考案のごみ箱は、上面が開口し、かつ組み立て及び折り畳みが自在な箱本体と、開口部が箱本体の開口を覆うように箱本体内に装着自在なゴミ袋と、箱本体の内外側面の少なくとも一方の側面に設けられ、かつ予備のゴミ袋を収納する収納ポケットとから構成したものである。
【０００６】
前記構成により、コンパクトに組み立てが可能なゴミ箱は、自動車の車室内等でも邪魔になることが少ないため便利に使用できると共に、ゴミ袋が一杯になったら、ゴミ袋ごとゴミを取り出して廃棄することにより、手を汚さずにゴミの処理が容易に行える上、ゴミ箱内を汚損する心配もない。
また収納ポケットに予め収納された予備のゴミ袋を取り出して箱本体内へ装着することにより、ゴミ箱が再使用可能な上、既存のポリ袋等を予備のゴミ袋として使用することにより、前記特許文献１に記載のゴミ箱のようなゴミ袋連続体を予め製作する必要がないため、経済的である。
さらに予備のゴミ袋を使い切る頃には、箱本体や蓋体が破損したり汚損するのことがあるが、そのときにはゴミ箱全体を可燃ゴミとして廃棄処分することにより、環境を汚染する心配も少ない。
【０００７】
本考案のごみ箱は、箱本体の開口に、ゴミ投入口を有する蓋体を着脱自在に取り付けたものである。
【０００８】
前記構成により、箱本体の開口に上方より蓋体を嵌着することにより、ゴミ袋の開口縁が箱本体の開口縁と蓋体の開口縁の間で挟着されるため、ゴミ袋に大きなゴミを入れたり重いゴミを入れても、ゴミ袋の開口縁が箱本体の内側へずり落ちることがない。
【０００９】
本考案のごみ箱は、ゴミ袋の開口部近傍に把手を設け、また箱本体の側面に、把手を引っ掛ける係止片を設けたものである。
【００１０】
前記構成により、蓋体がない状態でゴミ袋に大きなゴミを入れたり重いゴミを入れても、ゴミ袋の開口縁が箱本体の内側へずり落ちることがない上、把手を持ってゴミ袋を箱本体内より引き出すことができるため、ゴミの回収が容易に行える。
【００１１】
本考案のごみ箱は、箱本体及び蓋体の少なくとも一方の外表面に広告を表示したものである。
【００１２】
前記構成により、例えばガソリンスタンドで配布されたゴミ箱を自動車の車室内で使用することにより、ゴミ箱を使用する毎に外表面に表示された広告を利用者が見ることになるため、広告効果が高く、同様に製薬会社の広告を表示したゴミ箱を病院や薬局で配布すれば、来院した人や薬局を利用する人の目に触れる頻度が高くなるため、高い広告効果が得られるようになる。
また折り畳んだゴミ箱の大きさは、展開された箱本体のほぼ２分の１程度となるため、輸送の際や配布する際に嵩ばることがなく、これによって特に広告媒体として多量に配布する場合でも、輸送や保管、配布に要する経費の大幅な削減が図れる。
【考案の効果】
【００１３】
本考案のゴミ箱によれば、コンパクトに組み立てが可能なゴミ箱は、自動車の車室内等でも邪魔になることが少ないため便利に使用できると共に、収納ポケットに予め収納された予備のゴミ袋を取り出して箱本体内へ装着することにより、ゴミ箱が再使用できるため経済的である。
また箱本体及び蓋体の少なくとも一方の外表面に広告を表示することにより、ゴミ箱を使用する毎に外表面に表示された広告を利用者が見ることになるため広告効果も高い。
【考案を実施するための最良の形態】
【００１４】
本考案の実施の形態を、図面を参照して詳述する。
図１はゴミ箱の使用状態を示す斜視図、図２はゴミ箱の展開図、図３は蓋体の展開図、図４は収納ポケットの展開図、図５はゴミ箱の組み立て状態を示す斜視図、図６は収納ポケットを開いた状態の斜視図、図７は蓋体の一部を示す斜視図、図８は蓋体を取り外した状態の斜視図である。
図１に示すゴミ箱は、上面が開口した箱本体１と、箱本体１の上面開口を覆う蓋体２と、箱本体１の内側に着脱自在に装着されたゴミ袋３と、箱本体１の内側面に設けられた収納ポケット４とからなり、ゴミ袋３以外は例えばボール紙やダンボール等の厚紙により形成されている。
箱本体１は、図２の展開図に示すように縦方向に長い長方形に形成された４枚の側板１ａを有していて、これら側板１ａは、山折り線１ｂを介して横方向に連設されており、図２の例えば左側に位置する側板１ａには、山折り線１ｂを介してのり代１ｃが連設されている。
【００１５】
各側板１ａの上縁には、山折り線１ｄを介してフラップ１ｅが連設されており、これらフラップ１ｅの１枚、例えば左から２番目の側板１ａに連設されたフラップ１ｅは、ほぼ台形に形成された上蓋１ｆとなっていて、後述する収納ポケット４の上部開口を覆うようになっていると共に、上蓋１ｆは、ほぼ中間部に山折り線１ｇが形成され、先端部には谷折り線１ｈを介して摘み片１ｉが連設されている。
また各側板１ａの下縁には、山折線１ｊを介して底板１ｋ、１ｍが連設されている。
左から１番目及び３番目の側板１ａに連設された底板１ｋは、箱本体１の底面積よりやや小さいほぼ逆台形となっていて、斜辺の一辺に谷折り線１ｎを介してのり代１ｏが形成されおり、谷折り線１ｎ上には、折り曲がりやすいようにスリット１ｐが複数個所形成されている。
左から２番目と４番目の側板１ａに連設された底板１ｋは、側板１ａの下縁を底辺とするほぼ逆台形となっていて、底板１ｋに形成された谷折り線１ｎと直角となる仮想線１ｑに谷折り線１ｏを合致させた状態でのり代１ｏを底板１ｍに接着することにより、２分割状態の底板の一方が形成されるようになっている。
【００１６】
また左から１番目と３番目の側板１ａには、上下方向のほぼ中間部に、係止片１ｘが切り抜き形成されている。
これら係止片１ｘはゴミ袋３の把手３ａを引っ掛けるもので、ほぼ逆台形の舌片により形成されており、係止片１ｘの上部は、谷折り線１ｙを介して側板１ａに連設されている。
蓋体２は、図３に示すように箱本体１の上面開口よりやや大きいほぼ正方形の天板２ａを有していて、天板２ａの中央に例えば円形のゴミ投入口２ｂが開口されている。
天板２ａの周辺には、山折り線２ｃを介して長方形状の側板２ｄが連設されており、各側板２ｄの端部間には、山折り線２ｅを介して端板２ｆが連設されていて、端板２ｆには、対角線上に谷折り線２ｊが形成されている。
図３において天板２ａの左右に位置する側板２ｄには、山折り線２ｈを介して裏板２ｉが、そして天板２ａの上下に位置する側板２ａには、山折り線２ｊを介して裏板２ｋが連設されている。
【００１７】
これら裏板２ｉ、２ｋは、山折り線２ｈ、２ｊを山折りした際各側板２ｄの内面と重なって側板２ｄの剛性を高めるもので、左右側板２ｄに連設された裏板２ｉは、角部が切除されて３角形状の切欠部２ｒが形成されている。
上下の側板２ｄに連設された裏板２ｋには、谷折り線２ｍを介して幅狭な裏板２ｎが連設され、また裏板２ｋの両端部には、一辺が谷折り線２ｍと一直線状となるよう３角形状の係止片２ｏが谷折り線２ｐを介して連設されていて、谷折り線２ｍを谷折りして、裏板２ｎを図７に示すように天板２ａの裏面に当接させると、係止片２ｏが左右側板２ｄの内面に当接された裏板２ｉの切欠部２ｒに係合されて、側板２ｄの組み立て状態が保持されるようになっている。
【００１８】
一方箱本体１の内側に設けられた収納ポケット４は、ゴミ袋３の予備を折り畳んだ状態で収納するもので、図４の展開図で示すように縦方向の長尺な長方形状となっている。
収納ポケット４の中間部には山折り線４ｂと、その中間部に舌片４ｃが形成されていて、山折り線４ｂより収納ポケット４を２つ折りすると、舌片４ｃが突出するようになっており、この舌片４ｃは、左から２番目の側板１ａの下縁に形成されたスリット１ｚに箱本体１の内側から差し込めるようになっている。
収納ポケット４の上部には、ほぼ中央部を挟んで対称となるようにほぼ逆Ｌ字形の係止溝４ｄが穿設されていて、これら係止溝４ｄに上蓋１ｆの両側縁が係合できるようになっており、上部の一方の側縁には支持片４ｆが山折り線４ｇを介して連設されている。
支持片４ｆは、収納ポケット４の開放範囲を規定するもので、先端部に山折り線４ｈを介してのり代４ｉが連設され、ほぼ中間部に谷折り線４ｊが上下方向に形成されている。
【００１９】
また箱本体１内に装着して実際にゴミを収容するゴミ袋３は、防水性を有し、かつコンパクトに折り畳めるようにするため、スーパー等で使用されているレジ袋と称するポリエチレン製の袋（ポリ袋）を使用しており、ポリ袋はコスト面でも最適である。
ポリ袋には、種々のサイズのものがあるので、箱本体１の大きさに合わせて適当サイズを選択するか、箱本体１のサイズに合わせて新たに製作してもよい。
ゴミ袋３に使用するポリ袋は、上部に開口部３ａと把手３ｂとを有しており、開口部３ａの大きさは、箱本体１の上面開口とほぼ同じ大きさとなっていて、箱本体１内にゴミ袋３を装着した状態で、ゴミ袋３の開口縁が図８に示すように箱本体１の開口縁より外側へ折り返せるようになっている。
【００２０】
次に前記構成されたゴミ箱の作用を説明する。
本考案のゴミ箱の使用方法としては、日用雑貨品として販売し、購入者が家庭の居間や寝室、子供部屋、化粧室等で使用するゴミ箱としてもよく、自動車の車室内や行楽地等に携帯して、ゴミ箱として使用してもよい。
また別の方法として、企業が広告媒体として使用してもよい。
広告媒体として使用する場合の例としては、例えば自動車メーカや石油販売業者等が箱本体１や蓋体２の外表面に自社の製品等の広告を印刷して、これをガソリンスタンド等で配布したり、医薬品メーカが自社製品等の広告を印刷して、これを病院や薬局に配布する方法等があるが、勿論これら方法に限定されるものではない。
また箱本体１や蓋体２の外表面に広告を印刷する際に、ゴミ袋の組み立て方や使用方法も併せて印刷しておけば、利用者が使用する際に便利であり、また環境を大切にするための標語等も印刷すれば、さらに企業イメージの向上も図れるようになる。
何れの場合も箱本体１と蓋体２は折り畳んだ状態で図示しない袋に入れ、収納ポケット４は箱本体１の左から２番目の側板１ａの内側に支持片４ｆののり代４ｉを接着しておく。
さらにゴミ袋４は、折り畳んだ状態の例えば５枚を１組にして収納ポケット３内に予め収納しておく。
【００２１】
以上のように折り畳んで袋に収容したゴミ箱の大きさは、展開された箱本体（図２の状態）のほぼ２分の１程度となるため、輸送の際や配布する際に嵩ばることがなく、これによって特に広告媒体として多量に配布する場合でも、輸送や保管、配布に要する経費の削減が図れる。
市販されているゴミ箱を購入したり、配布されたゴミ箱を使用する場合には、まず箱本体１及び蓋体２を袋から取り出して、箱本体１の外側面等に印刷された組み立て方法を参照しながら箱本体１及び蓋体２を組み立てる。
次に箱本体１の内側に設けられた収納ポケット４の上蓋１ｆを、摘み片１ｉを持ち上げて図６に示すように開放したら、予め収納ポケット４に折り畳まれた状態で収納されているゴミ袋３を１枚取り出し、上蓋１ｆを閉じる。
【００２２】
次に箱本体１内でゴミ袋３を広げながらゴミ袋３の開口縁を図８に示すように箱本体１の開口を覆うように外側へ折り返し、ゴミ袋３の把手３ｂを箱本体１の側板１ａに形成された係止片１ｘに引っ掛ける。
このとき係止片１ｘを谷折り線１ｙより外側へ折り曲げておくことにより、把手３ｂの係止が容易となる。
以上のようにして箱本体１内にゴミ袋３を装着したら、箱本体１の開口に上方より蓋体２を嵌着することにより、ゴミ袋３の開口縁が箱本体１の開口縁と蓋体２の開口縁の間で挟着されるため、ゴミ袋３に大きなゴミを入れたり重いゴミを入れても、ゴミ袋３の開口縁が箱本体１の内側へずり落ちることがない。
【００２３】
図１はゴミ箱の使用状態を示すもので、蓋体２に開口された投入口２ｂよりゴミ袋３内が一杯になるまでゴミを投入することができる上、ゴミ袋３が一杯になったら、蓋体２を取り外した後、把手３ｂを持ってゴミ袋３ごとゴミを箱本体１内より取り出して廃棄することにより、手を汚さずにゴミの処理が容易に行える上、ゴミ箱内をゴミで汚損する心配もない。
ゴミ箱内のゴミをゴミ袋３ごと廃棄したら、収納ポケット４より予備のゴミ袋３を取り出して本体１内に前述した操作により装着することにより、再びゴミ箱が使用できるようになる。
また予備のゴミ袋３を使い切る頃には、箱本体１や蓋体２が破損したり汚損するのことがあるので、そのときにはゴミ箱全体を可燃ゴミとして廃棄処分することができるので、環境を汚染する心配も少ない。
【００２４】
以上はゴミ箱の使用方法であるが、ゴミ箱を広告媒体として使用した場合、次のような２次的な効果も得られる。
すなわち広告媒体は、より多くの人に見られたり、見られる頻度が多い程広告効果が上がる。
例えばガソリンスタンドで配布されたゴミ箱は、自動車の車室内で使用することが多いが、ゴミ箱を使用する毎に箱本体１の外側面に印刷された広告を利用者が見ることになるため、広告効果が高く、同様に製薬会社の広告を印刷したゴミ箱を病院や薬局で配布すれば、来院した人や薬局を利用する人の目に触れる頻度が高くなるため、高い広告効果が得られるようになる。
また広告と同時に環境に関する標語等を印刷しておけば、釣や運動会、ピクニック、ハイキング、キャンプ等へゴミ箱を持参して使用することにより、ゴミを捨てる毎に標語が目に触れることから、環境に対する意識高揚にも効果がある。
【００２５】
なお前記実施の形態では、箱本体１の内側面に収納ポケット４を設けた場合について説明したが、箱本体１の外側面に収納ポケット４を設けてもよく、箱本体１の内外側面に収納ポケット４を設けるようにしてもよい。
また箱本体１や蓋体２、収納ポケット４に厚紙を使用したが、その他の材料、例えばプラスチック等を使用してもよく、ゴミ袋３に、燃やしても有害ガス等を発生することが少ない炭酸カルシウム混入のポリ袋等を使用してもよい。
【図面の簡単な説明】
【００２６】
【図１】本考案の実施の形態になるゴミ箱の使用状態を示す斜視面図である。
【図２】本考案の実施の形態になるゴミ箱を構成する箱本体の展開図図である。
【図３】本考案の実施の形態になるゴミ箱を構成する蓋体の展開図図である。
【図４】本考案の実施の形態になるゴミ箱に設けられた収納ポケットの展開図である。
【図５】本考案の実施の形態になるゴミ箱の組み立て状態を示す斜視図である。
【図６】本考案の実施の形態になるゴミ箱の収納ポケットを開放した状態を示す斜視図である。
【図７】本考案の実施の形態になるゴミ箱を構成する蓋体の一部を示す斜視図である。
【図８】本考案の実施の形態になるゴミ箱の蓋体を取り外した状態を示す斜視図である。
【符号の説明】
【００２７】
１    箱本体
１ｘ    係止片
２    蓋体
２ｂ    ゴミ投入口
３    ゴミ袋
３ａ    把手
４    収納ポケット
【図１】
0003129690.tif 000003
【図２】
0003129690.tif 000004
【図３】
0003129690.tif 000005
【図４】
0003129690.tif 000006
【図５】
0003129690.tif 000007
【図６】
0003129690.tif 000008
【図７】
0003129690.tif 000009
【図８】
0003129690.tif 000010